(57)【特許請求の範囲】
【請求項１】
Ｗｅｂサーバに記憶され、キッチン家具のレイアウトを選定するための複数種類のレイアウトが、Ｗｅｂサーバにインターネットを介してアクセスされる端末の画面に表示され、かつ各レイアウトを複数の領域に区分した区分ごとにパネル色が個別に設定できる分割パネル区分として記憶するレイアウトメモリと、
Ｗｅｂサーバに記憶され、前記レイアウトの分割パネル区分におけるパネル色を選定するための予めリストアップされたカラーサンプルを、Ｗｅｂサーバにインターネットを介してアクセスされる端末の画面に表示可能な形態で記憶するカラーサンプルメモリと、
Ｗｅｂサーバに記憶され、Ｗｅｂサーバにインターネットを介してアクセスされる端末からの操作によって前記レイアウトの分割パネル区分の１つを選択する、ＷｅｂサーバのＣＰＵにより実行される分割パネル区分指定プログラムと、
Ｗｅｂサーバに記憶され、Ｗｅｂサーバにインターネットを介してアクセスされる端末からの操作によって起動し、前記リストアップされたカラーサンプルから任意のものを選択する、ＷｅｂサーバのＣＰＵにより実行されるカラー選定プログラムと、
Ｗｅｂサーバに記憶され、前記選択された分割パネル区分を、前記選択されたカラーサンプルのカラーに着色し、Ｗｅｂサーバにインターネットを介してアクセスされる端末の画面に表示する、ＷｅｂサーバのＣＰＵによって実行される分割パネル区分着色プログラムと、
Ｗｅｂサーバに記憶され、Ｗｅｂサーバにインターネットを介してアクセスされる端末からの操作に基づき、前記分割パネル区分指定プログラム、カラー選定プログラム、分割パネル区分着色プログラムが順次複数回実行されることにより、複数の前記分割パネル区分の全てが着色されてレイアウト全体が所望のカラーパターンにデザインされた完成レイアウトを、一時記憶する完成レイアウトメモリと、
Ｗｅｂサーバに記憶され、Ｗｅｂサーバにインターネットを介してアクセスされる端末からの操作により起動し、前記完成レイアウトについてユーザーの個人情報と共に発注を指示する、ＷｅｂサーバのＣＰＵによって実行される発注プログラムと、
Ｗｅｂサーバに記憶され、その発注プログラムで発注された完成レイアウトを、個人情報と共に受注データとして記憶する受注データメモリと、
を含み、
インターネットを介してアクセスされる端末から操作されるＷｅｂサーバに各機能が配置されているとともに、
Ｗｅｂサーバには、前記完成レイアウトを作成するための前提として、複数の前記分割パネル区分が着色されたカラーパターンによる複数種のカラーデザインを記憶したカラーデザインサンプルメモリが設けられ、
Ｗｅｂサーバには、このカラーデザインサンプルメモリに記憶したデザインモードを操作可能な各モードとして設定するためのデザインモード設定プログラムが格納され、
前記デザインモード設定プログラムは、前記分割パネル区分指定プログラム、カラー選定プログラム、分割パネル区分着色プログラムの実行に先立って実行可能であり、このデザインモード設定プログラムによって設定された各モードに従って許容されるカラーデザインのみを、Ｗｅｂサーバにインターネットを介してアクセスされる端末からの操作により利用させることを特徴とするキッチンパネル色コーディネートシステム。
【請求項２】
前記完成レイアウトを作成するための前提となる前記カラーデザインサンプルメモリに記憶したカラーデザインの各モードは、前記分割パネル区分が所定の態様で複数個集った塊を有し、前記分割パネル区分の色が前記塊単位で各プログラムによって変更されることを特徴とする請求項１に記載のキッチンパネル色コーディネートシステム。
【請求項３】
前記完成レイアウトを作成するために、前記カラーデザインサンプルメモリに記憶した複数の前記分割パネル区分を着色したカラーパターンは、全体が単一色とされる「プレーン」、大半が第１色でその一部のみが第２色とされる「アクセント」、帯状に区画された複数カラーとなる「ボーダー」、第１色と第２色が市松模様状に交互に配置された「チェス」、全体が互いに異なる２色以上で構成される「ランダム」のいずれかのカラーデザインとされる請求項１又は２に記載のキッチンパネル色コーディネートシステム。
【請求項４】
前記レイアウトメモリは、キッチンのユーザーが立つ側とは反対側のフロントパネルも１以上の分割パネル区分としてカラー選択が可能であるレイアウトを記憶する請求項１ないし３のいずれか１項に記載のキッチンパネル色コーディネートシステム。
【請求項５】
前記レイアウトメモリは、キッチンの側面に位置するサイドパネルも１以上の分割パネル区分としてカラー選択が可能であるレイアウトを記憶する請求項１ないし４のいずれか１項に記載のキッチンパネル色コーディネートシステム。
【請求項６】
前記Ｗｅｂサーバは、前記分割パネル区分指定プログラム、カラー選定プログラム、分割パネル区分着色プログラムの実行により完成するカラーデザインのコーディネートの援助のために、前記カラーデザインサンプルメモリと、そのカラーデザインサンプルメモリが記憶しているカラーデザインサンプルを、Ｗｅｂサーバにインターネットを介してアクセスされる端末の画面に、前記レイアウトと併せて表示するカラーデザインサンプル表示プログラムと、を備える請求項１ないし５のいずれか１項に記載のキッチンパネル色コーディネートシステム。
【発明の詳細な説明】
【技術分野】
【０００１】
本発明は、キッチンパネル色コーディネートシステムに関する。
【背景技術】
【０００２】
このようなキッチンパネル色コーディネートシステムとして、例えば下記特許文献１に記載されているように、顧客が自ら扉の色、柄、取っ手の意匠面をコンピュータが所有しているデータベースの中から選択、組合せ等により扉をデザインし、このイメージの扉を家具又はキッチン家具に取付けた全体のイメージをＣＡＤ画面上でカラーパース化して完成レイアウトでのイメージとして確認し、顧客からの注文時点でそのデータを製造部門に電送することにより邸別の生産を指示するシステムが知られている。
【先行技術文献】
【特許文献】
【０００３】
【特許文献１】特開２００２−１９７１２３号公報
【発明の概要】
【発明が解決しようとする課題】
【０００４】
しかし、特許文献１のキッチンパネル色コーディネートシステムでは、扉単体の仕様を決めることは出来たが、キッチン全体で複数枚の扉郡の色柄や配置をユーザーが選択しデザインすることができなかった。
【０００５】
本発明の解決すべき課題は、キッチンパネルのレイアウト全体を所望のカラーパターンにデザインすることのできるキッチンパネル色コーディネートシステムを提供することにある。
【課題を解決するための手段及び発明の効果】
【０００６】
上記課題を解決するために、本発明のキッチンパネル色コーディネートシステムは、
Ｗｅｂサーバに記憶され、キッチン家具のレイアウトを選定するための複数種類のレイアウトが、Ｗｅｂサーバにインターネットを介してアクセスされる端末の画面に表示され、かつ各レイアウトを複数の領域に区分した区分ごとにパネル色が個別に設定できる分割パネル区分として記憶するレイアウトメモリと、
Ｗｅｂサーバに記憶され、前記レイアウトの分割パネル区分におけるパネル色を選定するための予めリストアップされたカラーサンプルを、Ｗｅｂサーバにインターネットを介してアクセスされる端末の画面に表示可能な形態で記憶するカラーサンプルメモリと、
Ｗｅｂサーバに記憶され、Ｗｅｂサーバにインターネットを介してアクセスされる端末からの操作によって前記レイアウトの分割パネル区分の１つを選択する、ＷｅｂサーバのＣＰＵにより実行される分割パネル区分指定プログラムと、
Ｗｅｂサーバに記憶され、Ｗｅｂサーバにインターネットを介してアクセスされる端末からの操作によって起動し、前記リストアップされたカラーサンプルから任意のものを選択する、ＷｅｂサーバのＣＰＵにより実行されるカラー選定プログラムと、
Ｗｅｂサーバに記憶され、前記選択された分割パネル区分を、前記選択されたカラーサンプルのカラーに着色し、Ｗｅｂサーバにインターネットを介してアクセスされる端末の画面に表示する、ＷｅｂサーバのＣＰＵによって実行される分割パネル区分着色プログラムと、
Ｗｅｂサーバに記憶され、Ｗｅｂサーバにインターネットを介してアクセスされる端末からの操作に基づき、前記分割パネル区分指定プログラム、カラー選定プログラム、分割パネル区分着色プログラムが順次複数回実行されることにより、複数の前記分割パネル区分の全てが着色されてレイアウト全体が所望のカラーパターンにデザインされた完成レイアウトを、一時記憶する完成レイアウトメモリと、
Ｗｅｂサーバに記憶され、Ｗｅｂサーバにインターネットを介してアクセスされる端末からの操作により起動し、前記完成レイアウトについてユーザーの個人情報と共に発注を指示する、ＷｅｂサーバのＣＰＵによって実行される発注プログラムと、
Ｗｅｂサーバに記憶され、その発注プログラムで発注された完成レイアウトを、個人情報と共に受注データとして記憶する受注データメモリと
を含み、
インターネットを介してアクセスされる端末から操作されるＷｅｂサーバに各機能が配置されているとともに、
Ｗｅｂサーバには、前記完成レイアウトを作成するための前提として、複数の前記分割パネル区分が着色されたカラーパターンによる複数種のカラーデザインを記憶したカラーデザインサンプルメモリが設けられ、
Ｗｅｂサーバには、このカラーデザインサンプルメモリに記憶したデザインモードを操作可能な各モードとして設定するためのデザインモード設定プログラムが格納され、
前記デザインモード設定プログラムは、前記分割パネル区分指定プログラム、カラー選定プログラム、分割パネル区分着色プログラムの実行に先立って実行可能であり、このデザインモード設定プログラムによって設定された各モードに従って許容されるカラーデザインのみを、Ｗｅｂサーバにインターネットを介してアクセスされる端末からの操作により利用させることを特徴とする。
【０００７】
ここで、本発明に示すパネル色とは青や赤等の色のみでは無く、木目のような柄や鏡面加工のように仕上げる金属色も含んでいる。また、分割パネル区分とはキッチンパネルのみではなく、扉に備え付けられるハンドル等を含む構成としてもよい。
【０００８】
このようなキッチンパネル色コーディネートシステムでは、キッチン家具のレイアウトおいて、あらかじめ複数の領域に分割された分割パネル区分毎に個別にパネル色が設定できるので、ユーザーは分割パネル区分毎に自分の気に入った配色や柄とすることが可能である。
【０００９】
よって、キッチン家具のレイアウトに対し、一部分のみを指定してデザインを決めるのではなく、キッチン家具全体のデザインを決めることができ、ユーザーは自分の好みに合ったキッチン全体のレイアウトを創作することができる。
【００１０】
さらに、完成したレイアウトはユーザーの個人情報とともに発注することができ、ユーザーは自分で作成したレイアウトの注文を簡単に行うことができる。
【００１１】
また、前記完成レイアウトを作成するために、前記カラーデザインサンプルメモリに記憶した複数の前記分割パネル区分を着色したカラーパターンは、全体が単一色とされる「プレーン」、大半が第１色でその一部のみが第２色とされる「アクセント」、帯状に区画された複数カラーとなる「ボーダー」、第１色と第２色が市松模様状に交互に配置された「チェス」、全体が互いに異なる２色以上で構成される「ランダム」のいずれかのカラーデザインとすることができる。
【００１２】
上記のように、複数の分割パネル区分はキッチン家具の完成レイアウト毎に分割パネル区分が数個集まって一塊となったデザインを形成し、分割パネル区分が複数あることで、ユーザーは複雑な模様や色彩のキッチン家具の全体的なデザインを一種のコンセプトに従って創作することができる。
【００１３】
また、前記レイアウトメモリは、キッチンのユーザーが立つ側とは反対側のフロントパネルも１以上の分割パネル区分としてカラー選択が可能であるレイアウトを記憶する構成としてもよい。
【００１４】
これによれば、フロントパネルも１以上の分割パネル区分毎にカラー選択が可能となるので、調理する側のユーザーだけではなく、その反対側にいるユーザーにもキッチン家具の色彩や模様を視認させることができ、前面の意匠面の美感が向上する。
【００１５】
また、前記レイアウトメモリは、キッチンの側面に位置するサイドパネルも１以上の分割パネル区分としてカラー選択が可能であるレイアウトを記憶する構成としてもよい。
【００１６】
これによれば、サイドパネルにまで１以上の分割パネル区分毎にカラー選択が可能となるので、ユーザーはキッチン家具の細部に渡るまで、デザインを考えることができ、自分の好みに合うものを創作することが可能となり、満足度が高くなる。
【００１７】
また、前記Ｗｅｂサーバは、前記分割パネル区分指定プログラム、カラー選定プログラム、分割パネル区分着色プログラムの実行により完成するカラーデザインのコーディネートの援助のために、前記カラーデザインサンプルメモリと、そのカラーデザインサンプルメモリが記憶しているカラーデザインサンプルを、Ｗｅｂサーバにインターネットを介してアクセスされる端末の画面に、前記レイアウトと併せて表示するカラーデザインサンプル表示プログラムと、を備える構成としてもよい。
【００１８】
これによれば、複数の分割パネル区分が数個集まって一塊となったいくつかのカラーデザインサンプルが端末の画面に表示されるので、ユーザーは配色などで迷った場合は、そのカラーデザインサンプルを参考にすることで容易にデザインの決定が可能となる。
【００１９】
また、前記完成レイアウトを作成するための前提となる前記カラーデザインサンプルメモリに記憶したカラーデザインの各モードは、前記分割パネル区分が所定の態様で複数個集った塊を有し、前記分割パネル区分の色が前記塊単位で各プログラムによって変更されることを特徴とする。
【００２０】
これによれば、ユーザーは複数の分割パネル区分が数個集まって一塊となったいくつかのカラーデザインサンプルの中から一つのデザインを選択すると、その選択されたカラーデザインのモード毎に配色の決定ができる。つまり、ユーザーは複数の分割パネル区分を一つずつ変更していく手間が省け、各モード毎に設定された数個の分割パネル区分の色を一斉に変更することが可能となる。よって、ユーザーは自分の気に入ったデザインを選んだ後、そのデザインに合った配色を考えることができ、レイアウトが先に決まっている場合などは、色の変更も簡単であり使い勝手が良い。
【図面の簡単な説明】
【００２１】
【図１】本発明に係るキッチンパネル色コーディネートシステムの構成を示す説明図。
【図２】本発明に係るキッチンパネル色コーディネートシステムのフローチャート。
【図３】端末の画面に表示される図を示す説明図。
【図４】別処理が追加されたときのキッチンパネル色コーディネートシステムのフローチャート。
【図５】別処理が行われるときの端末の画面に表示される図を示す説明図。
【図６】発注画面を示す説明図。
【図７】複数のカラーデザインサンプルの配色例を示す図。
【図８】フロントパネル、サイドパネルに配色したときの図。
【図９】ハンドル部分に配色したときの図。
【発明を実施するための形態】
【００２２】
（実施例１）
以下、本発明の実施の形態を図面を参照しつつ説明する。図１は本発明のキッチンパネル色コーディネートシステム１を示している。サーバ（Ｗｅｂサーバ）２は、通信ネットワークとしてのインターネット３に対してＩ／Ｏポート５を介して接続され、またこれにバス６を介してＣＰＵ７、ＲＡＭ８及びＲＯＭ９が接続されている。
また、インターネット３を介してサーバ２とアクセスされる端末４の画面には、キッチン家具のレイアウトを選定するための複数種類のレイアウトが表示される。
【００２３】
ＲＡＭ８には、ワークメモリ８ａ、完成レイアウトメモリ８ｂ、受注メモリ８ｃが含まれている。
【００２４】
ＲＯＭ９には、レイアウトメモリ９ａ、カラーサンプルメモリ９ｂ、カラーデザインサンプルメモリ９ｃ及び分割パネル区分指定プログラム９ｄ、カラー選定プログラム９ｅ、分割パネル区分着色プログラム９ｆ、発注プログラム９ｇ、カラーデザインサンプル表示プログラム９ｈ、デザインモード設定プログラム９ｉが含まれている。
【００２５】
レイアウトメモリ９ａは、各レイアウトにおいてパネル色が個別に設定できる複数領域を分割パネル区分としてサーバ２に記憶されている。カラーサンプルメモリ９ｂは、レイアウトの分割パネル区分におけるパネル色を選定するために予めリストアップされたカラーサンプルを端末４の画面に表示可能な形態でサーバ２に記憶されている。カラーデザインサンプルメモリ９ｃは、複数種類のカラーデザインのサンプルを端末４の画面に表示可能な形態でサーバ２に記憶されている。
【００２６】
また、分割パネル区分指定プログラム９ｄは、端末４からの操作によってレイアウト分割パネル区分の１つを選択し、サーバ２のＣＰＵ７によって実行されるプログラムである。カラー選定プログラム９ｅは、端末４からの操作によって起動し、リストアップされたカラーサンプルから任意のものを選択し、サーバ２のＣＰＵ７によって実行されるプログラムである。分割パネル区分着色プログラム９ｆは、選択された分割パネル区分を、選択されたカラーサンプルのカラーに着色し、端末４の画面に表示するように、サーバ２のＣＰＵ７によって実行されるプログラムである。
【００２７】
ここで、ＲＡＭ８に含まれる完成レイアウトメモリ８ｂは、端末４からの操作に基づき、分割パネル区分指定プログラム９ｄ、カラー選定プログラム９ｅ、分割パネル区分着色プログラム９ｆが順次数回実行されることにより、複数の分割パネル区分の全てが着色されて、レイアウト全体が所望のカラーパターンにデザインされた完成レイアウトを一時記憶するものである。
【００２８】
また、発注プログラム９ｇは端末４からの操作によって起動し、完成レイアウトについてユーザーの個人情報と共に発注を指示するように、サーバ２のＣＰＵ７によって実行されるプログラムである。さらに、ＲＡＭ８に含まれる受注データメモリ８ｃは、発注プログラム９ｇで発注された完成レイアウトを個人情報と共に受注データとして記憶する。
【００２９】
カラーデザインサンプル表示プログラム９ｈは、複数種類のカラーデザインのサンプルを端末４の画面にレイアウトと併せて表示するプログラムである。また、デザインモード設定プログラム９ｉは、分割パネル区分指定プログラム９ｄ、カラー選定プログラム９ｅ、分割パネル区分着色プログラム９ｆの実行に先立って実行可能であり、完成レイアウトを作成する前提として複数種類のカラーデザインの各モードに従って許容されるデザインのみを端末４からの操作によって行わせるプログラムである。
【００３０】
図２にキッチンパネル色コーディネートシステム１の一例をフローチャートにより示す。ステップＳ１（以下単にＳ１という）で、ユーザー等のサイト利用者は、端末４からインターネット３を介してサーバ２に設定されたサイトに接続する。Ｓ２で、ユーザーが複数種類のキッチンデザインの中から１つのレイアウトを選択することで、端末４の画面にキッチンのレイアウトが表示される処理が実行される。
【００３１】
Ｓ３では、レイアウト表示されたキッチンのレイアウトは分割区分指定プログラム９ｄにより複数の分割パネル区分毎に分割され、ユーザーが１つの分割パネル区分を選択すかしないかの判断がされる。さらに、Ｓ４で端末４の画面上に複数表示されたカラーサンプルの中からユーザーが１つのカラーサンプルを選択するかしないかの判断がされる。このとき、カラー選定プログラム９ｅによりカラーが選択される。そして、Ｓ５でＣＰＵ７が分割パネル区分着色プログラム９ｆを読み出すことで、端末４の画面上で分割されたパネルの１つが着色される。次にＳ６では、全分割パネル区分が着色されているかの判断がされ、着色されていなければＳ３〜Ｓ６が繰り返される。
【００３２】
全分割パネル区分の着色が完了すると、次の処理へ進む。このときの完成レイアウトはＲＡＭ８上の完成レイアウトメモリ８ｂ領域内に一時格納される。Ｓ７では、完成レイアウトをユーザーが発注するかしないの判断がなされ、発注しなければ終了処理となる。ユーザーが発注するとＳ８へ移行し、ユーザーの個人情報の入力と共にその信号がＣＰＵ７へと送られる。そして、ＣＰＵ７は発注プログラム９ｇを読み出し、発注が完了する。このとき、完成レイアウトを個人情報と共に受注データとしてＲＡＭ８上の受注データメモリ８ｃに記憶する。
【００３３】
図３における端末４の画面１０で具体的な操作を説明する。ユーザーは予め複数種類あるキッチン家具のレイアウトから自分の好みに合ったレイアウト１１を一つ決める。すると、レイアウト１１が画面上に現れ、それと共にカラーサンプル１２が画面の左に現れる。ここで、レイアウト１１において、下方にはキッチン台を基本とするフロアユニットＦ、右上部には吊り戸を基本とするウォールユニットＷ、左上部にはレンジフード６０が配置されている。
【００３４】
ここで、フロアユニットＦは七つの分割パネル区分１３ａ，１３ｂ，１３ｃ，１３ｄ，１３ｅ，１３ｆ，１３ｉに分割されている。また、ウォールユニットＷは二つの分割パネル区分１３ｇ，１３ｈに分割されている。
【００３５】
ユーザーは、マウス等によりポインタ２０をフロアユニットＦにおける一つの分割パネル区分１３ａに近づける。すると、ポインタ２０と重なった分割パネル区分１３ａがの分割区分枠１３で囲まれる。ユーザーはその場所でマウスをクリックし分割パネル区分１３ａを指定する。次に、カラーサンプル１２から自分の好みに合った一つの色を選ぶ。色を決めると、ポインタ２０がその色と重なった場所においてマウスをクリックする。すると、先ほど選択しておいた分割パネル区分１３ａの色が選んだ色へと変わる。さらに、ポインタ２０を分割パネル区分１３ｂに近づけ同様の作業を行い、カラーサンプル１２から選んだ色へと変更する。同様に分割パネル区分１３ｃ〜１３ｉまで変更する。
【００３６】
このように、分割パネル区分１３ａ〜１３ｉを変更することで、レイアウト１１を自分の好みに合ったデザインへと変更することが可能となる。しかも、このようなキッチンパネル色コーディネートシステム１では、キッチン家具のレイアウト１１に対し、あらかじめ複数の領域に分割された分割パネル区分１３ａ〜１３ｉ毎に個別にパネル色が設定できるので、ユーザーは分割パネル区分１３ａ〜１３ｉ毎に自分の気に入った配色をすることが可能である。また、分割パネル区分１３ａ〜１３ｉが複数あるので、ユーザーは自分の好みに合った色やバリエーションの選択が可能である。
【００３７】
このように、複数の領域に分割された分割パネル区分１３ａ〜１３ｉが設定されているので、キッチンのレイアウト１１に対し、一部分のみを指定してデザインを決めるのではなく、フロアユニットＦ，ウォールユニットＷを含むキッチン家具全体のデザインを決めることができ、ユーザーは自分の好みに合った独創的なキッチン全体のレイアウトを創作することが可能であり、有り触れた一般的な色彩やデザインでは満足できないユーザーにとって大変魅力的である。
【００３８】
そして、上記で作成した完成レイアウトは保存することができるので、作業の途中で止めたり複数作って保存しておくことも可能である。さらに、満足するレイアウトができるとユーザーはそのまま発注することもできるので、発注画面において個人情報を入力し発注を行えば、簡単に自分の満足行くデザインで発注が可能となる。
【００３９】
ここで、カラーサンプル１２やレイアウト１１の位置は適宜変更が可能であり、その表示を大小に変更できるようにしてもよい。また、ポインタ２０を分割パネル区分１３ａ上に重ね合わせたとき、「この領域に色を塗って下さい」等のガイダンスが表示されるようにしてもよい。さらに、分割区分枠１３の表示ではなく、ポインタ２０を分割パネル区分１３ａ上に重ね合わせることでその領域が拡大されるような構成としてもよい。また、色を選んでから分割パネル区分１３ａを決定することも可能である（図２のＳ３とＳ４の順所が逆となる）。さらに、これらの作業はマウスのみではなくキーボード等から行うことも可能である。
【００４０】
次に、図４において別処理が追加されたときのフローチャートを示す。Ｓ１、Ｓ２は上記の説明と同様の処理である。次に、Ｓ３の処理の前にＳ３’の判断が行われる。Ｓ３’では、全体が単一色とされる「プレーン」、大半が第１色でその一部のみが第２色とされる「アクセント」、上側が水平方向に延びる第１色・下側が水平方向に延びる第２色のツートンカラーとされた「ボーダー」、第１色と第２色が市松模様状に交互に配置された「チェス」、全体が互いに異なる３色以上で構成される「ランダム」のカラーデザインがカラーデザインサンプル表示プログラム９ｈにより端末４の画面に表示される（図５の下端参照）。ユーザーがそのカラーデザインサンプルの中から１つのカラーデザインサンプルを選択すると、その信号がＣＰＵ７に送られＣＰＵ７はデザインモード設定プログラム９ｉを読み出す。すると、Ｓ３では、複数の分割パネル区分が集まって一塊（分割パネル区分郡）となった各モードのデザインの内、Ｓ３’で選択されたモードのカラーデザインの分割パネル区分（郡）のみが選択可能となる。そして、Ｓ３〜Ｓ８まで同様の処理が行われる。
【００４１】
図５は図４の処理が追加されたときの端末４の画面１０の表示であり、この図５において具体的な操作を説明する。ユーザーは予め複数種類あるキッチン家具のレイアウトから自分の好みに合ったレイアウト１１を一つ決める。すると、レイアウト１１が画面上に現れ、それと共にカラーサンプル１２が画面の左に現れる。さらに、レイアウト１１において、中央にはキッチン台を基本とするフロアユニットＦ、右上部には吊り戸を基本とするウォールユニットＷ、左上部にはレンジフード６０が配置されている。
【００４２】
ここで、フロアユニットＦの下方には、カラーデザインサンプル１４が表示される。カラーデザインサンプル１４は、左から順にプレーンのカラーデザイン３０、アクセントのカラーデザイン３１、ボーダーのカラーデザイン３２、チェスのカラーデザイン３３、ランダムのカラーデザイン３４と並んでいる。
【００４３】
ユーザーは、最初にカラーデザインサンプル１４の中から自分の好みのカラーデザインを選ぶ。一例としてボーダーのカラーデザイン３２にしたいと考えたとき、ユーザーはボーダーのカラーデザイン３２上にポインタ２０を合わせマウスのボタンをクリックする。すると、レイアウト１１はボーダーのカラーデザイン３２の設定となる。
【００４４】
ボーダーのカラーデザイン３２が設定されると、フロアユニットＦの分割パネル区分１３ａ〜１３ｄ及び１３ｉの内、上側の１３ａ，１３ｂ，１３ｃ，１３ｉが一塊となって一つの分割パネル区分（郡）１５ａを形成し、下側の１３ｄ，１３ｅ，１３ｆが一塊となって一つの分割パネル区分１５ｂ（郡）を形成する。ここで、ウォールユニットＷの上側の分割パネル区分１３ｇは、分割パネル区分１５ａと連動されて一つの塊として認識されるようになる。同様に、ウォールユニットＷの下側の分割パネル区分１３ｈは、分割パネル区分１５ｂと連動されて一つの塊として認識されるようになる。
【００４５】
そして、ポインタ２０がフロアユニットＦにおける上側の分割パネル区分１５ａと重なったとき、上側の分割パネル区分１５ａが分割区分枠１３で囲まれる。このときウォールユニットＷにおける上側の分割パネル区分１３ｇも同様に分割区分枠１３で囲まれる。そしてこの状態で、マウスをクリックする。次にカラーサンプル１２から自分の好みに合った一つの色を選ぶ。色を決めると、ポインタ２０がその色と重なった場所においてマウスをクリックする。すると、先ほど選択しておいたフロアユニットＦにおける上側の分割パネル区分１５ａ及びウォールユニットＷにおける上側の分割パネル区分１３ｇの色が選んだ色へと変わる。
【００４６】
次に、ポインタ２０をフロアユニットＦにおける下側の分割パネル区分１５ｂと重ねると、先ほどと同様に下側の分割パネル区分１５ｂが枠で囲まれる。さらに、ウォールユニットＷにおける下側の分割パネル区分１３ｈも同様に枠で囲まれる。そして、上記と同様の作業を行い、カラーサンプル１２から別の色を選択し、マウスをクリックすると、先ほど選択しておいたフロアユニットＦにおける下側の分割パネル区分１５ｂ及びウォールユニットＷにおける下側の分割パネル区分１３ｈの色が選んだ色へと変わる。
【００４７】
このように、複数の分割パネル区分１３ａ〜１３ｉが数個集まって一塊となったいくつかのカラーデザインサンプル１４が端末４の画面１０に複数種類（３０〜３４）表示されるので、ユーザーは配色などで迷った場合は、そのカラーデザインサンプル１４を参考にすることで容易にデザインの決定が可能となる。
【００４８】
また、ユーザーは複数の分割パネル区分１３ａ〜１３ｉが数個集まって一塊となったいくつかのカラーデザインサンプル１４の中から一つのデザイン（例えばボーダーのカラーデザイン３２）を選択すると、その選択されたカラーデザイン（例えばボーダーのカラーデザイン３２）のモード毎に配色の決定ができる。つまり、ユーザーは複数の分割パネル区分１３ａ〜１３ｉを一つずつ変更していく手間が省け、各モード毎に設定された数個の分割パネル区分（例えば１３ａ〜１３ｃ及び１３ｉが一塊となった１５ａ）の色を一斉に変更することが可能となる。よって、作業効率が上がるとともに、ユーザーは自分の気に入ったデザインを選んだ後、そのデザインに合った配色を考えることができ、レイアウトが先に決まっている場合などは、色の変更も簡単であり使い勝手が良い。
【００４９】
上記ではボーダーのカラーデザイン３２を選択した場合を示したが、プレーンのカラーデザイン３０、アクセントのカラーデザイン３１、チェスのカラーデザイン３３を選択した場合もポインタ２０を移動することで同様に分割区分枠１３が表示され、カラーサンプル１２から一色の色を選択することで一斉に分割区分枠１３内の色の変更が可能となる。ここで、ランダムのカラーデザイン３４は複数の分割パネル区分１３ａ〜１３ｉ毎に一色ずつ異なる設定となっているので、異なる色柄や同じ色柄を好きな配置で一つずつ色を変更したい場合はランダムのカラーデザイン３４を選ぶとよい。
【００５０】
また、カラーサンプル１２やカラーデザインサンプル１４及びレイアウト１１の位置は適宜変更が可能であり、その表示を大小に変更できるようにしてもよい。また、ポインタ２０を上側の分割パネル区分１５ａ上に重ね合わせたとき、「上ボーダーの領域に色を塗って下さい」等のガイダンスが表示されるようにしてもよい。さらに、分割区分枠１３の表示ではなく、ポインタ２０を分割パネル区分１５ａ上に重ね合わせることでその領域が拡大されるような構成としてもよい。また、色を選んでから分割パネル区分１５ａを決定することも可能である（図４のＳ３とＳ４の順所が逆となる）。さらに、これらの作業はマウスのみではなくキーボード等から行うことも可能である。
【００５１】
さらに、フロアユニットＦの分割パネル区分１５ａとウォールユニットＷの分割パネル区分１３ｇは連動して配色が行われるようにしたが、フロアユニットＦとウォールユニットＷの分割パネル区分１５ａ，１３ｇを別々に配色する設定とすることも可能である。
【００５２】
次に、図６において完成した完成レイアウトを発注するときの画面を示す。サーバ２は一般的にキッチンメーカー又はキッチン販売店が主体的に運用し、登録されたデータ（完成レイアウト及び個人情報）は、サーバー運用者（キッチンメーカー等）が各々の端末４によりインターネット３を介して受注データメモリ８ｃの内容をサーバ２から読み出し、あるいはサーバ２から各々の端末４へ自動転送して確認することができる。
【００５３】
ユーザーは作成が完成した完成レイアウトを一時保存する。そして、端末４の画面１０を発注画面へと切り換える。左上には、ユーザーが作成した完成レイアウト名８１が表示される。また、その下方にはキッチンの細かな見積８２が表示されるとともに、右上には見積額の合計金額８３が表示される。ユーザーはその金額を確認した上で、発注者情報８４に自分の個人情報８５（例えば、住所や氏名など）を入力する。そして、全ての入力が終わったら、ポインタ２０を発注ボタン８６上に重ね合わせマウスをクリックすることで発注が終了する。ここで、発注ボタン８６をクリックした後、再度記載内容をユーザーに確認させるような画面が表示されるようにしてもよい。また、ここに挙げた画面内容は一例であり仕様に合わせ適宜変更が可能である。
【００５４】
次に、図７に複数のカラーデザインサンプルの配色例を示す。図７（ａ）はボーダーのカラーデザイン３２を選択した場合の配色例を示す図であり、フロアユニットＦ及びウォールユニットＷが上下に第１色４０と第２色５０とで構成されている。（ｂ）はプレーンのカラーデザイン３０を示し、フロアユニットＦ及びウォールユニットＷは第１色４０のみで構成されている。（ｃ）はアクセントのカラーデザイン３１を示し、フロアユニットＦの一部のみが第２色５０となり他が第１色となる構成となっている。（ｄ）はチェスのカラーデザイン３３を示し、フロアユニットＦ及びウォールユニットＷは市松模様状に交互に第１色４０と第２色５０が交互に配置されている。（ｅ）はランダムのカラーデザイン３４を示し、フロアユニットＦ及びウォールユニットＷは第１色４０、第２色５０のみでなくさらに多くの色７０で構成されている。
【００５５】
図８（ａ）はフロントパネル１７を配色したときの図、図８（ｂ）はフロアユニットＦのサイドパネル１８及びウォールユニットＷのサイドパネル１９をそれぞれ配色したときの図、図８（ｃ）はフロントパネル１７を別分割したときの配色を示す図である。図８（ａ）に示すように、フロントパネル１７は分割パネル区分１７ａ〜１７ｄに水平方向に四分割されている。また、図８（ｂ）に示すように、フロアユニットＦのサイドパネル１８は分割パネル区分１８ａ〜１８ｄに左右で二分割され、ウォールユニットＷのサイドパネル１９は分割パネル区分１９ａ〜１９ｄに左右で二分割されている。さらに、フロアユニットＦのフロントパネル１７は図８（ｃ）に示すように、上下・左右に四分割されている。
【００５６】
このように、フロントパネル１７もカラー選択が可能となるので、調理する側のユーザーだけではなく、その反対側にいるユーザーにもキッチン家具の色彩を視認させることができ、前面の意匠面の美感が向上する。ここで、フロントパネル１７は分割パネル区分１７ａ〜１７ｄに四分割されている例を示したが、１以上の分割パネル区分毎に分割されるように設定でき、その分割数は適宜変更が可能である。さらに、分割の形態も適宜変更が可能である。
【００５７】
さらに、サイドパネル１８，１９にまでカラー選択が可能となるので、ユーザーはキッチン家具の細部に渡るまで、デザインを考えることができ、自分の好みに合うものを創作することが可能となり、満足度が高くなる。ここで、フロントパネル１７と同様にサイドパネル１８，１９は分割パネル区分１８ａ〜１８ｄ及び１９ａ〜１９ｄに四分割されている例を示したが、１以上の分割パネル区分毎に分割されるように設定でき、その分割数は適宜変更が可能である。さらに、分割の形態も適宜変更が可能である。
【００５８】
図９はハンドル部分に配色したときの図であり、図９（ａ）の扉９０にはフラットバーハンドル９１が取付けられ、図９（ｂ）の扉９０にはバーハンドル９２が取付けられ、図９（ｃ）の扉９０，９０にはハンドル９３，９３が取付けられている。
【００５９】
このように、予め素材や形状を選択した様々な形状のハンドル９１〜９３にも配色することができ、ユーザーはキッチン家具の細部にまでこだわりを持ってカラーコーディネートが可能である。
【００６０】
上記の実施例では、カラーサンプル１２は数種類しか描かれていないが、より多くの種類に増やすこともでき、木目などの模様を備えたデザインを用意することもできる。また、木目のほか金属調（色）、１つの分割パネル区分自体が模様で構成される場合のその模様も全て広義のカラーサンプルである。さらに、カラーデザインサンプル１４は５種類のみ記載したが、キッチン家具のレイアウトを変更する場合は、これらの種類とは別のカラーデザインサンプルを使用することも可能である。
【００６１】
また、分割パネル区分の数はキッチンのレイアウトにより、増減が可能でありキッチン家具をより複雑な模様や色彩のデザインとすることもできる。
【００６２】
また、ハンドル等のように一定の面を持った場所であれば分割パネル区分として指定できるので、表面色を変更したい細部があればその部分を分割パネル区分とすれば良く、キッチン家具の至る所の配色を変更できる。
【符号の説明】
【００６３】
１        キッチンパネル色コーディネートシステム
２        サーバ（Ｗｅｂサーバ）
３        インターネット
４        端末
７        ＣＰＵ
８        ＲＡＭ
９        ＲＯＭ
１０      画面
１１      レイアウト（キッチン家具のレイアウト）
１２      カラーサンプル
１３      分割区分枠
１３ａ〜１３ｈ  分割パネル区分
１４      カラーデザインサンプル
１７      フロントパネル
１８      サイドパネル
１９      サイドパネル
２０      ポインタ
３０      プレーンのカラーデザイン
３１      アクセントのカラーデザイン
３２      ボーダーのカラーデザイン
３３      チェスのカラーデザイン
３４      ランダムのカラーデザイン
４０      第１色
５０      第２色
Ｆ        フロントユニット
Ｗ        ウォールユニット
【図１】
0005506090.tif 000002
【図２】
0005506090.tif 000003
【図３】
0005506090.tif 000004
【図４】
0005506090.tif 000005
【図５】
0005506090.tif 000006
【図６】
0005506090.tif 000007
【図７】
0005506090.tif 000008
【図８】
0005506090.tif 000009
【図９】
0005506090.tif 000010